(57)【特許請求の範囲】
【請求項１】
幅が同じで長さの異なる薄板状の部分カバーであって、各部分カバーの一端に長さの異なる凹状、凸状等の突出部を形成した複数枚を、長さの順に、摺動可能に積層して形成した入り子式の伸縮カバーを枠体内に装填するについて、各薄板状の部分カバーに設けたピン受けまたはピン取付座に、パンタグラフの連結バーの各交差箇所のピンを取り付けて、伸縮カバーまたは伸縮カバーの補強材に２列以上のパンタグラフを間隔を置いて平行に取り付け、また突出部の一番長い部分カバーの端部または突出部によって形成される空間部内に産業機器の摺動機構を取り付けるとともに部分カバーの他端に固定機構を取り付け、伸縮カバーの摺動に応じてパンタグラフを摺動するようにしたパンタグラフを多列に設けた伸縮カバー。
【請求項２】
二組の入り子式の伸縮カバーを枠体内に装填し、この二組の入り子式の伸縮カバーの間に産業機器の摺動機構を取り付け、一方の入り子式の伸縮カバーを収縮するとともに、他方の入り子式の伸縮カバーを伸展するようにした請求項１記載のパンタグラフを多列に設けた伸縮カバー。
【請求項３】
二組の入り子式の伸縮カバーの長さの異なる凹状、凸状等の突出部を向かい合わせに配置し、この二組の入り子式の伸縮カバーの突出部の一番長い部分カバーによって形成される空間部内に、産業機器の摺動機構を取り付けた請求項２記載のパンタグラフを多列に設けた伸縮カバー。
【請求項４】
幅が同じで長さの異なる薄板状の部分カバーの複数枚を、長さの順に、摺動可能に積層して形成した入り子式の伸縮カバーまたは伸縮カバーの補強材に２列以上のパンタグラフを間隔を置いて平行に取り付けるとともに、これらのパンタグラフの一方の端部に産業機器の摺動機構を取り付けるとともに他方の端部に固定機構を取り付けるか、あるいは双方の端部に産業機器の摺動機構を取り付けて、パンタグラフの摺動に応じて伸縮カバーを摺動するようにしたパンタグラフを多列に設けた伸縮カバー。
【発明の詳細な説明】
【０００１】
【産業上の利用分野】
本発明は、産業機器の主軸頭、ピストン、シリンダー等の摺動機構に取り付けた入り子式（テレスコピック式）の伸縮カバーに関するものであり、この伸縮カバーに二列以上のパンタグラフを間隔を置いて平行に取り付けたことに特徴がある。
【０００２】
【従来の技術】
従来、産業機器の主軸頭、ピストン、シリンダー等の摺動機構が裸で露出していると、オイルが飛散して周辺が汚染する不都合がある他、作業者の手足や衣服を挟む危険がある。
【０００３】
また、産業機器の摺動機構およびこれによって形成される空隙部に、切り粉、スパッター等の異物や塵芥が混入、付着して摺動機構のスムースな動きに支障が生じ、摺動機構が摩耗するおそれがある他、産業機械としてデザイン的に問題もあった。
【０００４】
以上述べた問題の対策としては、裸で露出している産業機器の伸縮機構を伸縮カバーで覆うことが考えられるが、この種の伸縮カバーとしては、従来、布やビニール製の蛇腹状の伸縮カバーが使用されていたが、最近においては、複数枚の金属薄板の部分カバーを順次摺動可能に重ね合わせた入り子式の伸縮カバーが使用されている。
【０００５】
しかし、この入り子式の伸縮カバーの部分カバーは、相互に独立、分離して連結してなく、部分カバーによって部分カバーを摺動させる機構になっているために、部分カバーが均一に動かずにバラツキがあり、摺動がスムースでなく、直進性がなく、また異音を発することが多く、伸縮カバーとして故障し易い等の欠点があった。
【０００６】
さらに、この入り子式の伸縮カバーを改良したものとして、特公平３−２１２９７号に記載されているように、金属製の四角の枠体の両端に金属薄板の各部分カバーを間隔を置いて架け渡すように取り付け、あたかも中央部分の底を打ち抜いた箱蓋のような部分カバー枠体を形成し、この部分カバー枠体を重箱状に重ね合わせ相互に摺動可能にするとともに、その中央の空間部に産業機器の伸縮機構を取り付けた構造の伸縮カバーもある。
【０００７】
しかし、前述したような入り子式の伸縮カバーは、摺動の際に、各部分カバー枠体の四角の枠体の両側面が全面に渡って相互に接触し、接触面積が大きて、摩擦抵抗が強いために、摺動性がよくなく、金属の接触による騒音が多く、入り子式の伸縮カバーとして故障し易く、また最近の産業機器の複雑な動きに対応できない問題があった。
【０００８】
また、入り子式の伸縮カバーに一列のパンタグラフを取り付け、各部分カバーの摺動を均等にする試みもなされているが、一列のパンタグラフを取り付けるだけでは、伸縮カバーに直進性を与えることができず、傾いて摺動する欠点があり、伸縮カバーの両端部が枠体の内面に衝突して金属的な異音を発し、均一に摺動しないという難点があった。
【０００９】
【発明が解決しようとする課題】
本発明は、前述した複数枚の部分カバーよりなる入り子式の伸縮カバーの欠点を解決するものであり、幅が同じで長さの異なる薄板状の部分カバーであって、各部分カバーの一端に長さの異なる凹状、凸状等の突出部を形成した複数枚を、長さの順に、摺動可能に積層して入り子式の伸縮カバーを形成し、この伸縮カバーの部分カバーに設けたピン受けまたはピン取付座に、パンタグラフの連結バーの各交差箇所のピンを取り付けて、二列以上のパンタグラフを間隔を置いて平行に取り付けることによって、伸縮カバーを全体的に連動して均等に、スムースに摺動させ、かつ伸縮カバーの摺動に直進性を与え、伸縮カバーを摩擦抵抗と金属騒音を小さくし、安定して往復摺動させることを目的とし、特に最近の産業機器の高速で複雑な動きに適切に対応する入り子式の伸縮カバーを提供することに目的がある。
【００１０】
【課題を解決するための手段】
本発明は、パンタグラフを多列に設けた入り子式の伸縮カバーに関するものであり、幅が同じで長さの異なる薄板状の部分カバーであって、各部分カバーの一端に長さの異なる凹状、凸状等の突出部を形成した複数枚を、長さの順に、摺動可能に積層して形成した入り子式の伸縮カバーを枠体内に装填するについて、各薄板状の部分カバーに設けたピン受けまたはピン取付座に、パンタグラフの連結バーの各交差箇所のピンを取り付けて、伸縮カバーまたは伸縮カバーの補強材に２列以上のパンタグラフを間隔を置いて平行に取り付け、また突出部の一番長い部分カバーの端部または突出部によって形成される空間部内に産業機器の摺動機構を取り付けるとともに部分カバーの他端に固定機構を取り付け、伸縮カバーの摺動に応じてパンタグラフを摺動するようにしたことに特徴がある。
【００１１】
さらに、本発明は、前述したパンタグラフを多列に設けた入り子式の伸縮カバーの二組を枠体内に装填し、二組の入り子式の伸縮カバーの間に産業機器の摺動機構を取り付け、一方の入り子式の伸縮カバーを収縮するとともに、他方の入り子式の伸縮カバーを伸展するようにし、産業機器の摺動機構の往復移動に対応することに特徴がある。
【００１２】
さらに、本発明は、前述したパンタグラフを多列に設けた二組の入り子式の伸縮カバーの凹状、凸状等の突出部を向かい合わせに配置し、この二組の入り子式の伸縮カバーの突出部の一番長い部分カバーによって形成される空間部内に、産業機器の摺動機構を取り付け、産業機器の摺動機構の往復移動に対応するとともに、産業機器の摺動機構に入り子式の伸縮カバーをコンパクト化してに取り付けることに特徴がある。
【００１３】
さらに、本発明は、前述した入り子式の伸縮カバーまたは伸縮カバーの補強材に、２列以上のパンタグラフを間隔を置いて平行に取り付けるとともに、これらのパンタグラフの一方の端部に産業機器の摺動機構を取り付け、他方の端部に固定機構を取り付けるか、あるいは双方の端部に産業機器の摺動機構を取り付けて、パンタグラフの摺動に応じて伸縮カバーを摺動するようにし、伸縮カバーを薄く軽量化することに特徴がある。
【００１４】
【作用】
幅が同じで長さの異なる薄板状の部分カバーであって、各部分カバーの一端に長さの異なる凹状、凸状等の突出部を形成した複数枚を、長さの順に、摺動可能に積層して入り子式の伸縮カバーを形成し、この伸縮カバーの部分カバーに設けたピン受けまたはピン取付座に、パンタグラフの連結バーの各交差箇所のピンを取り付けて、この伸縮カバーに二列以上のパンタグラフを間隔を置いて平行に取り付けて、産業機器の摺動機構で入り子式の伸縮カバーを摺動させると、複数枚の部分カバーはパンタグラフによって相互に関連して連動し、均等に、スムースに摺動し、かつ、一方のパンタグラフが他方のパンタグラフによる入り子式の伸縮カバーの傾斜して摺動することを抑制し、また他方のパンタグラフが一方のパンタグラフによる入り子式の伸縮カバーの傾斜して摺動することを抑制するために、入り子式の伸縮カバーは直進して摺動することになり、入り子式の伸縮カバーの両側部は、枠体の内面に衝突することなく、摩擦抵抗や金属音も少なく、より均等に、よりスムースに摺動する。
【００１５】
【実施例】
図１に示すように、従来の伸縮カバー１は、幅が同じで、長さの異なる長方形の複数枚の薄板状の部分カバー２ａ、２ｂ、２ｃ、２ｄ、２ｅ、２ｆ、２ｇを、長さの順に、摺動可能に積層して入り子式の伸縮カバー１を形成する。  また、薄板状の部分カバー２の材質としては、ステンレス等の金属製、プラスチック製、セラミックス製等の薄板状であって、物理的強度のあるものを使用している。
【００１６】
伸縮カバー１を構成するの部分カバー２の枚数としては、３〜３０枚であり、また各部分カバー２の幅は５〜１００ｃｍの範囲内において適宜選択した同じ寸法としている。
また、部分カバー２の長さは、入り子式の伸縮カバーの摺動距離、摺動速度等の使用条件に応じて、１３〜５０ｃｍの範囲内において基本的な寸法を適宜選択し、そして、各部分カバー２ａ、２ｂ、２ｃ、２ｄ、２ｅ、２ｆ、２ｇの長さについては１〜１０ｃｍの差を付けている。たとえば、部分カバー２ａは部分カバー２ｂより５ｃｍ長く、また部分カバー２ｂは部分カバーより５ｃｍ長く、さらに部分カバー２ｃは部分カバー２ｄより５ｃｍ長くし、以後、部分カバー２ｅ、２ｆ、２ｇの間にも、同様に長さに差を付けている。
【００１７】
以上のように形成した入り子式の伸縮カバー１に、二列のパンタグラフ３ａと３ｂを間隔を置いて平行に取り付けているが、パンタグラフ３としては２列に限らず、この伸縮カバー１が大きい場合、または安定した摺動性を求める場合には、３〜８列を取り付けている。
パンタグラフ３ａと３ｂを平行に配置する際の間隔としては、３〜５０ｃｍであり、また、パンタグラフ３としては、一般に使用されている公知の構造のものを使用している。
【００１８】
伸縮カバー１にパンタグラフ３ａと３ｂを取り付けるには、たとえば、図２に示すように、パンタグラフ３ａと３ｂの連結バー４の各交差箇所５に回転可能に挿填したピン６を、各薄板状の部分カバー２ａ、２ｂ、２ｃ、２ｄ、２ｆ、２ｇの長さの異なる箇所に設けた各ピン受け７に、それぞれ回転可能に挿填する。なお、ピン受け７の代わりに、ピン取付座やその他の取付機構を設けてもいる。
【００１９】
なお、伸縮カバー１を軽量化するために、部分カバー２を薄くすることによって、パンタグラフ３ａと３ｂを取り付ける部分カバー２の箇所の物理的強度に問題が起きる場合には、各部分カバー２ａ、２ｂ、２ｃ、２ｄ、２ｆ、２ｇのパンタグラフ３ａと３ｂを取り付ける箇所に、長薄板状またはバー状の補強材（図示せず）を取り付けて、この補強材に取り付けたピン受け７に、パンタグラフ３ａと３ｂの連結バー４の各交差箇所５に回転可能に挿填したピン６を回転可能に挿填してもいる。
【００２０】
以上のように、パンタグラフ３ａと３ｂを取り付けた入り子式の伸縮カバー１の全体を枠体８内に装填し、この伸縮カバー１のうち、長さの一番長い部分カバー２ａに産業機器の摺動機構９を取り付け、長さの一番短い部分カバー２ａに固定機構１０を取り付けている。
なお、反対に、伸縮カバー１のうち、長さの一番長い部分カバー２ａに固定機構１０を取り付け、長さの一番短い部分カバー２ａに産業機器の摺動機構９を取り付けたり、場合によっては、長さの一番長い部分カバー２ａと長さの一番短い部分カバー２ｇに、産業機器の摺動機構９を取り付けてもいる。
【００２１】
産業機器の摺動機構８が一方の方向に摺動するときは、入り子式の伸縮カバー１の部分カバー２ａ、２ｂ、２ｃ、２ｄ、２ｅ、２ｆ、２ｇの両側部は枠体８の内面に沿って摺動して伸展すると同時に、パンタグラフ３ａと３ｂも摺動して伸展し、また、産業機器の摺動機構９が他方の方向に摺動するときは、入り子式の伸縮カバー１の部分カバー２ａ、２ｂ、２ｃ、２ｄ、２ｅ、２ｆ、２ｇの両側部は枠体７の内面に沿って摺動して収縮すると同時に、パンタグラフ３ａと３ｂも摺動して収縮し、以後この動作を繰り返し（伸縮カバー主導式）、  そして、産業機器の摺動機構９を所定の距離の範囲内で任意の位置に往復して移動する際に、産業機器の摺動機構９の周辺を入り子式の伸縮カバー１によって覆うようにしている。
【００２２】
従来の入り子式の伸縮カバー１の部分カバー２の形状としては長方形であるが、本発明の場合には、図３に示すように、幅が同じで、長さの異なる凹状の突出部１１を設けた形状にし、このような複数枚の薄板状の部分カバー２ａ、２ｂ、２ｃ、２ｄ、２ｅ、２ｆ、２ｇを、長さの順に、摺動可能に積層して入り子式の伸縮カバー１を形成する（伸縮カバー１の摺動距離が長くなりコンパクトにもなる）。
【００２３】
部分カバー２のに、２列のパンタグラフ３ａと３ｂを間隔を置いて平行に取り付けるについては、前述したように、パンタグラフ３ａと３ｂの連結バー４の各交差箇所５に回転可能に挿填したピン６を、各部分カバー２ａ、２ｂ、２ｃ、２ｄ、２ｅ、２ｆ、２ｇの長さの異なる突出部１１部分に設けた各ピン受け７に、それぞれ回転可能に挿填すればよい。
【００２４】
前述したパンタグラフ３ａと３ｂとを取り付けた各々の入り子式の伸縮カバー１を、枠体８内に装填するとともに、この入り子式の伸縮カバー１の部分カバー２のうち、長さの一番長い突出部１１を設けた部分カバー２ａによって形成される空間部１２内に産業機器の摺動機構９を取り付けてもよい（伸縮カバー１がコンパクトになる）。
【００２５】
なお、入り子式の伸縮カバー１について、部分カバー２に長さの異なる凹状の突出部１１を設けた点を除き、その他の部分に関しては、前述した従来の場合と同様であるので、説明を省略する。なお、部分カバー２の突出部１１については、凹状の形状以外にも、凸状または凸状を多段に設けた形状、その他の形状の突出部であってもかまわない。
【００２６】
また、図４に示すように、幅が同じで、長さの異なる凹状、凸状等の突出部１１を設けた複数枚の薄板状の部分カバー２ａ、２ｂ、２ｃ、２ｄ、２ｅ、２ｆ、２ｇを、長さの順に、摺動可能に積層して入り子式の伸縮カバー１（伸縮カバー１の摺動距離が長くなる）を二組使用し、この二組の入り子式の伸縮カバー１の部分カバー２の凹状の突出部１１を向かい合わせに配置してもよい（産業機器の摺動機構８の往復摺動に対応）。
【００２７】
前述した各々の入り子式の伸縮カバー１に、パンタグラフ３ａと３ｂとを取り付けて枠体７内に装填するとともに、この二組の入り子式の伸縮カバー１の部分カバー２のうち、長さの一番長い突出部１１を設けた部分カバー２ａによって形成される空間部１２内に産業機器の摺動機構９を取り付けてもよい（伸縮カバー１がコンパクトになる）。
【００２８】
産業機器の摺動機構９の摺動に応じて、一方の入り子式の伸縮カバー１の部分カバー２ａ、２ｂ、２ｃ、２ｄ、２ｅ、２ｆ、２ｇの両側部が枠体８の内面に沿って摺動して伸展するとともに、パンタグラフ３ａと３ｂも摺動して伸展し、同時に、他方の入り子式の伸縮カバー１の部分カバー２ａ、２ｂ、２ｃ、２ｄ、２ｅ、２ｆ、２ｇの両側部も枠体８の内面に沿って摺動して収縮するとともに、パンタグラフ３ａと３ｂも摺動して収縮し、産業機器の摺動機構９を所定の距離の範囲内で任意の位置に往復して移動する際に、産業機器の摺動機構９の周辺を二組の入り子式の伸縮カバー１によって覆うようにしてもよい。
【００２９】
二組の入り子式の伸縮カバー１の部分カバー２の突出部１１を向かい合わせに配置した点を除き、その他の部分に関しては、前述した場合と同様であるので、説明を省略する。
【００３０】
なお、入り子式の伸縮カバー１を軽量化するために、部分カバー２をより一層薄くする必要がある場合には、部分カバー２の物理的強度に問題が生じることもある。
このようなときは、入り子式の伸縮カバー１に、前述したように、２列のパンタグラフ３ａと３ｂを間隔を置いて平行に取り付けるとともに、これらのパンタグラフ３ａと３ｂの一方の端部に産業機器の摺動機構９を取り付けるとともに他方の端部に固定機構１０を取り付け、枠体８内に挿填することなく（２列のパンタグラフ３ａと３ｂによって伸縮カバー１に直進性を与える）、パンタグラフ３ａと３ｂの摺動に応じて伸縮カバー１を摺動するようにするとよい（パンタグラフ主導式）。
【００３１】
パンタグラフ３を産業機器の摺動機構９と固定機構１０に取り付ける点および枠体８内に挿填しなくてもよい点を除き、その他の部分に関しては、前述した場合と同様であるので、説明を省略する。
【００３２】
【発明の効果】
本発明によると、幅が同じで長さの異なる薄板状の部分カバーであって、各部分カバーの一端に長さの異なる凹状、凸状等の突出部を形成した複数枚を、長さの順に、摺動可能に積層して入り子式の伸縮カバーを形成し、この伸縮カバーの部分カバーに設けたピン受けまたはピン取付座に、パンタグラフの連結バーの各交差箇所のピンを取り付けて、二列以上のパンタグラフを間隔を置いて平行に取り付けることによって、伸縮カバーを全体的に連動して均等に、スムースに摺動させ、かつ伸縮カバーの摺動に直進性を与えることが可能であり、伸縮カバーを摩擦抵抗と金属騒音を小さくし、安定して往復摺動させる効果があり、特に最近の産業機器の高速で複雑な動きに適切に対応できる優れた利点がある。
【００３３】
また、本発明によると、産業機器の主軸頭等の摺動機構の周辺を入り子式の伸縮カバーで覆っているので、産業機器の摺動機構や周辺の空隙部に、切り粉等の異物や塵芥が混入して起こす摺動機構に対する種々の悪影響を防止できるほか、オイルが飛散することはなく、作業者の手足や衣服を挟む危険もなく、産業機械としてデザイン的にも奇麗になる長所もある。
【図面の簡単な説明】
【図１】  長さの異なる長方形の複数枚の部分カバーよりなる伸縮カバーにパンタグラフを２列に設けて伸展した状態を示す従来の入り子式の伸縮カバーの説明図である。
【図２】  長さの異なる長方形の複数枚の部分カバーよりなる伸縮カバーにパンタグラフを設けて伸展した状態を示す従来の入り子式の伸縮カバーの説明図である。
【図３】  長さの異なる突出部を形成した複数枚の部分カバーよりなる伸縮カバーにパンタグラフを２列に設けて伸展した状態を示す本発明の入り子式の伸縮カバーの説明図である。
【図４】  突出部を向かい合わせにした二組の部分カバーよりなる伸縮カバーにパンタグラフを２列に設け、一方の部分カバーを伸展するとともに他方の部分カバーを収縮した状態を示す本発明の入り子式の伸縮カバーの説明図である。
【符号の説明】
１  伸縮カバー
２  部分カバー
３  パンタグラフ
４  連結バー
５  交差箇所
６  ピン
７  ピン受け
８  枠体
９  摺動機構
10  固定機構
11  突出部
12  空間部
【図１】
0003644645.tif 000002
【図２】
0003644645.tif 000003
【図３】
0003644645.tif 000004
【図４】
0003644645.tif 000005